(57)【要約】【課題】液剤が無くなったことが容易に判別できる液体揮発装置を提供する。【解決手段】液剤２を収容した容器１と、この容器１内に挿し込まれ、液剤２を吸い上げて空気中に揮散させるための吸液軸３とを備えた液体揮発装置１０であって、吸液軸３は、少なくとも外周面が紙シート３ａからなり、この外周面の内方には、図柄もしくは文字を含む印刷面４または着色面５が形成されている【選択図】図１
2017217294.tif 000002
【特許請求の範囲】
【請求項１】
液剤を収容した容器と、
この容器内に挿し込まれ、液剤を吸い上げて空気中に揮散させるための吸液軸と、を備えた液体揮発装置であって、
前記吸液軸は、少なくとも外周面が紙シートからなり、この外周面の内方には、図柄もしくは文字を含む印刷面または着色面が形成されていることを特徴とする液体揮発装置。
【請求項２】
前記吸液軸は、紙シートを巻回した紙軸からなり、この紙軸の外周面の内方に、図柄もしくは文字を含む印刷面または着色面が形成されている請求項１に記載の液体揮発装置。
【請求項３】
前記液剤が芳香剤含有液である請求項１または２に記載の液体揮発装置。
【発明の詳細な説明】
【技術分野】
【０００１】
本開示は、容器内の液剤を揮散させる液体揮発装置に関する。
【背景技術】
【０００２】
従来、芳香剤や消臭剤などの揮散性液剤を容器に収容し、葦、籐（ラタン）、竹などのスティックディフューザー（吸液軸）を挿し込み、毛細管現象により上部へ吸い上げて、室内などの空気中に揮散（揮発）させる薬剤揮散器（液体揮発装置）が知られている（特許文献１参照）。
【０００３】
しかしながら、このような液体揮発装置は、使用者が容器内の液剤の無くなったことを判断しにくい。特に、容器が濃い着色瓶の場合は尚更である。そのため、液剤の補充あるいは交換時期を見落としてしまうという問題がある。
【先行技術文献】
【特許文献】
【０００４】
【特許文献１】特開２０１５−８７９９号公報
【発明の概要】
【発明が解決しようとする課題】
【０００５】
本発明の課題は、液剤が無くなったことが容易に判別できる液体揮発装置を提供することである。
【課題を解決するための手段】
【０００６】
本発明者は、上記課題を解決するべく鋭意検討を行った結果、以下の構成からなる解決手段を見出し、本発明を完成するに至った。
（１）液剤を収容した容器と、この容器内に挿し込まれ、液剤を吸い上げて空気中に揮散させるための吸液軸と、を備えた液体揮発装置であって、前記吸液軸は、少なくとも外周面が紙シートからなり、この外周面の内方には、図柄もしくは文字を含む印刷面または着色面が形成されていることを特徴とする液体揮発装置。
（２）前記吸液軸は、紙シートを巻回した紙軸からなり、この紙軸の外周面の内方に、図柄もしくは文字を含む印刷面または着色面が形成されている（１）に記載の液体揮発装置。
（３）前記液剤が芳香剤含有液である（１）または（２）に記載の液体揮発装置。
【発明の効果】
【０００７】
本発明によれば、容器内に液剤がある状態では、容器内に収容される液剤を吸い上げることにより吸液軸が濡れているため、外周面の紙シートが透明ないし半透明になるので、外周面の紙シートの内方の図柄もしくは文字を含む印刷面または着色面にて視認できる。一方、容器１内の液剤２が無くなると、吸液軸３も乾燥して、吸液軸３の外周面の紙シート３ａも元の色になるので、上記印刷面４および着色面５が視認しにくくなる。そのため、使用者は容器１内の液剤２がなくなったことを容易に判別できるようになる。
【図面の簡単な説明】
【０００８】
【図１】本発明に係る液体揮発装置の一実施形態を示す正面図であり、（ａ）は容器内に液剤がある場合、（ｂ）は液剤が無い場合を示す。
【図２】本発明に係る液体揮発装置の吸液軸の一実施形態を示す斜視図である。
【図３】（ａ）は本発明の一実施形態における吸液軸の部分展開図であり、（ｂ）は吸液軸の他の例を示す部分展開図である。
【発明を実施するための形態】
【０００９】
本発明に係る液体揮発装置の一実施形態を図面に基づいて説明する。図１（ａ）に示すように、液体揮発装置１０は、液剤２を収容した容器１と、容器１に挿し込まれた吸液軸３とを備える。容器１中の液剤２は、毛細管現象により吸液軸３に吸い上げられて、吸液軸３から空気中に成分を揮散させる。また、この吸液軸３は、少なくとも外周面が紙シート３ａからなる紙軸からなり、その内方に図柄もしくは文字を含む印刷面４および着色面５を設けている。
そのため、吸液軸３が濡れているため、外周面の紙シート３ａが透明ないし半透明になるので、内方の印刷面４および着色面５が視認できるようになる。一方、容器１内の液剤２が無くと、吸液軸３が乾燥し、図１（ｂ）に示すように吸液軸３の表面下に見えていた印刷面４および着色面５が視認しにくくなる。
【００１０】
容器１は、内部に液剤２を収容し、吸液軸３が挿し込まれたものである。この容器１は例えばガラスやプラスチックなどで形成され、外部から中身が見えない着色されたものや不透明のものであってもよい。また、容器１は、吸液軸３が挿しこみ可能であれば蓋部材（図示せず）で閉じられていてもよい。
【００１１】
液剤２は、揮散状態では、図１（ａ）に示す状態であるが、吸液軸３により吸い上げられ揮散することにより徐々に減少する。
液剤２としては、例えば芳香剤、消臭剤、殺虫剤、防虫剤などが挙げられる。また、液剤２には、溶剤（例えば水、アルコール類等）を使用することができる。必要に応じて、界面活性剤、乳化剤、防腐剤、ＵＶ吸収剤などを配合してもよい。
【００１２】
吸液軸３は、毛細管現象により、容器１内の液剤２を吸い上げて空気中に揮散させるための棒状体である。この吸液軸３は、容器１に挿しこまれる本数や、液剤２から露出する揮散部の長さなどにより、液剤２の揮発量を使用者は適宜調整することができる。このような吸液軸３の断面形状としては、例えば、円形、楕円形、扁平形、角形等などが挙げられる。
【００１３】
図２は、本実施形態における吸液軸３を示している。この吸液軸３は、紙シート３ａを巻回した紙軸であり、あらかじめ紙シート３ａの一部に印刷面４および着色面５が形成されている。すなわち、印刷面４および着色面５は、紙シート３ａを巻回したとき、外周面を形成する紙シート３ａよりも内方（すなわち、外周面から２層目またはそれ以降の層の部位）に位置するように形成されている。紙軸は、例えば、長方形に打ち抜きまたは切り抜きした紙シート３ａを小さく巻き取り、少なくとも端部を接着することによって製造される。
なお、図２は、本実施形態における吸液軸３を理解しやすくするために、印刷面４および着色面５が形成された部位の表面の紙シート３ａを剥いだ状態を示している。
【００１４】
図３（ａ）は、巻回する前の展開した紙シート３ａの先端部分を示しており、同図（ａ）に示すように、紙シート３ａの先端よりも少なくとも１回の巻回長さだけ距離をおいて、かつ幅方向の一部に印刷面４および着色面５が形成されている。印刷面４および着色面５は、紙シート３ａに印刷、塗布などにより形成される。この紙シート３ａを矢印Ａで示す長手方向に巻回し、少なくとも端部を接着すると、最表面には印刷面４および着色面５が表われることはない。
また、印刷面４および着色面５は、外周面を形成する紙シート３ａの裏面に形成されていてもよい。このようにしても、紙シート３ａの乾燥時には、裏面の印刷面４および着色面５は明瞭に視認できない状態となっている。
【００１５】
印刷面４は使用者の視認性を高めるような図柄もしくは文字を含む。着色面５は、紙シート３ａの他の部位とコントラストが明確となる色で着色されているのがよい。
【００１６】
紙シート３ａにおいて印刷面４および着色面５以外の場所は、シート３ａを紙軸として巻回したとき、印刷面４および着色面５を少なくとも１層の紙シート３ａが被覆しているので、水などの液体を含む液剤２が浸透し濡れると、その部分が透けて、内方の印刷面４および着色面５が死人できるようになる（図１（ａ）参照）。反対に、液剤２が浸透せずに乾燥しているときは、印刷面４および着色面５が見えにくくなる（図１（ｂ）参照）。
なお、薄い紙シート３ａを使用する場合、印刷面４および着色面５は、巻回した紙軸の外周面から３層目か、それより内側の層に形成されているのが好ましい。
【００１７】
紙シート３ａの原料紙は特に限定されず、例えば、長繊維使用の古紙から作った再生紙を用いることができる。また、紙シート３ａの印刷面４および着色面５位外は、例えば白色系であるのがよいが、これに限定されない。
【００１８】
紙シート３ａを巻回して紙軸（吸液軸３）にする際に使用する接着剤としては、特に限定されないが、水に溶けにくく、無毒、無色であり、且つ軸の硬さを適度に保てるものを用いるのがよい。このような接着剤としては、例えば、澱粉糊、ポリビニルアルコール（ＰＶＡ）、エチレン酢酸ビニル共重合体（ＥＶＡ）、カルボキシメチルセルロース（ＣＭＣ）などが挙げられる。
また、紙の繊維は、機械抄きの場合、縦方向、即ち、抄紙機の送り方向に並んでいる。従って、原料紙を巻く際に、紙軸の軸方向を繊維の向きに一致させて巻くと、出来上がった紙軸は、繊維が軸方向を向いているので、曲げに対する強度が強く、簡単に破損しない、丈夫な紙軸になる。
【００１９】
紙シート３ａを巻回した吸液軸３は、使用する場所や、使用する液剤２の種類に合わせて、様々な色や模様の印刷面４および着色面５を使用してもよい。さらに、紙シート３ａを紙軸として用いる場合、その原材料も古紙を使うなどして生産コストも低く抑えることができる。
【００２０】
以上、詳細に説明したように、液体揮発装置１０の容器１内に収容した液剤２に下端部が浸漬された吸液軸３は、液剤２が浸透して、吸液軸３の外周面が濡れると、透明に近くなり、内方の印刷面４および着色面４を視認できる。一方、液剤２が無くなるか、少なくなり、吸液軸３で吸い上げられなくなると、吸液軸３は乾燥して、印刷面４および着色面５が見えにくくなるので、液剤２の有無を容易に判別でき、液剤２の補充あるいは交換時期を的確に判断することができる。
【００２１】
なお、本発明においては、印刷面４および着色面５はいずれか一方のみであってもよい。また、印刷面４および着色面５は、図３（ａ）に示すように紙シート３ａの一部でなく、図３（ｂ）に示すように紙シート３ａ´の幅全面にわたって設けられていてもよい。この場合には、吸液軸３の内方に軸方向全長にわたって印刷面４および着色面５が形成されることになる。
【００２２】
さらに、吸液軸３は、少なくとも外周面を形成する紙シート３ａを、印刷面４および着色面５が表面に形成された軸芯の外周面に巻回し接着するようにしてもよい。この場合、軸芯の材質は、吸液性を有するものであれば特に制限されず、例えば木材、繊維、樹脂などが挙げられる。このとき、紙シート３ａは、濡れ状態で下方の印刷面４および着色面５が視認できるように無地または無着色であるのがよい。
また、軸芯の表面に紙シート３ａを複数回巻回する場合は、軸芯に印刷面４および着色面５が形成される必要はなく、紙シート３ａに印刷面４および着色面５が形成されてもよい。
【符号の説明】
【００２３】
１    容器
２    液剤
３    吸液軸
３ａ、３ａ´  紙シート
４    印刷面
５    着色面
１０  液体揮発装置
【図１】
2017217294.tif 000003
【図２】
2017217294.tif 000004
【図３】
2017217294.tif 000005